(57)【特許請求の範囲】
【請求項１】
製氷機本体(B)に配設される製氷水タンク(T)と、該製氷水タンク(T)内の製氷水を製氷部へ供給するポンプ(P)と、該ポンプ(P)を作動するモータ(M)とを備える製氷機において、
前記ポンプ(P)および前記モータ(M)が配設され、前記製氷水タンク(T)に取付けられるユニット取付部材(60)と、
前記ユニット取付部材(60)に設けられた保持部(86)と、
前記製氷水タンク(T)に設けられ、前記保持部(86)に係脱自在に係合して製氷水タンク(T)に対してユニット取付部材(60)を位置決め保持する被保持部(30)と、
前記製氷水タンク(T)に設けられた係合部(48)と、
前記製氷機本体(B)に設けられ、前記係合部(48)と係脱自在に係合して製氷機本体(B)に対して製氷水タンク(T)を位置決め保持する被係合部(23A)とを備え、
前記保持部(86)は、前記製氷水タンク(T)に対する前記ユニット取付部材(60)の取付方向と交差する方向で前記被保持部(30)の第１被保持部(31)と係合する第１保持部(87)と、前記ユニット取付部材(60)の取付方向と交差し、かつ前記第１被保持部(31)と第１保持部(87)との係合方向と交差する方向で被保持部(30)の第２被保持部(32)と係合する第２保持部(88)と、前記ユニット取付部材(60)の取付方向で被保持部(30)の第３被保持部(35)と係止する第３保持部(90)とを備える
ことを特徴とする製氷機。
【請求項２】
前記係合部(48)は、前記製氷水タンク(T)に弾性変形可能に配設されたレバー部(46)に設けられ、該レバー部(46)の弾性変形により該係合部(48)と前記被係合部(23A)との係合および係合解除が行なわれるよう構成した請求項１記載の製氷機。
【請求項３】
前記ユニット取付部材(60)は、前記製氷機本体(B)に対して取付手段(94,97)により着脱自在に固定保持される取付保持部(92,95)を備える請求項１または２記載の製氷機。
【請求項４】
前記ユニット取付部材(60)には、前記製氷水タンク(T)内に貯留する製氷水の貯留量を検知する製氷水検知手段(FU)が配設された請求項１〜３の何れか一項に記載の製氷機。
【発明の詳細な説明】
【技術分野】
【０００１】
この発明は、製氷機本体に配設される製氷水タンクと、該製氷水タンク内の製氷水を製氷部へ供給するポンプと、該ポンプを作動するモータとを備える製氷機に関するものである。
【背景技術】
【０００２】
製氷機は、その製氷機本体内に製氷室や機械室が区画形成され、冷凍機構部を構成する蒸発器および製氷部等からなる製氷機構部が前記製氷室内に配設される一方、該冷凍機構部を構成する圧縮機や凝縮器等が前記機械室に配設される。そして、製氷室下部、または製氷室下部から機械室下部に亘ってタンク収容部が画成され、製氷水タンクを該タンク収容部に引出し可能に収容するよう構成されている。前記製氷水タンクには、該製氷水タンク内に貯留した製氷水を前記製氷部へ供給するポンプをモータで作動させるポンプユニットや、該製氷水タンク内に貯留された製氷水の貯留量を検知する製氷水量検知手段が備えられている。従って、ポンプユニットのポンプを作動させることで、製氷水タンク内の製氷水が製氷部に供給されて該製氷部で氷化され、製氷部で氷結しなかった製氷水は、製氷水タンク内へ落下して一旦回収された後、再び該ポンプユニットにより製氷部へ供給される。このような製氷機は、特許文献１に開示されている。
【先行技術文献】
【特許文献】
【０００３】
【特許文献１】特表２００６−５１９９７４号公報
【発明の概要】
【発明が解決しようとする課題】
【０００４】
ところで、特許文献１に開示された製氷機は、製氷水タンク(貯蔵タンク)が製氷室の下部に着脱可能に組付けられる一方、ポンプユニット(ポンプ)が製氷室内における奥側の壁部に組付けられている。すなわち、特許文献１の製氷機は、製氷水タンクとポンプユニットとが各々個別に製氷室に位置決めして組付けられる構成となっている。このため、製氷室と製氷水タンクとの取付誤差および製氷室とポンプユニットとの取付誤差が相乗して、製氷水タンクとポンプユニットとの相対的な位置が適切にならないから、ポンプユニットによる製氷水タンク内の製氷水の供給が適正に行なわれず、製氷能力に影響を及ぼすおそれがある。また、製氷室に対して製氷水タンクおよびポンプユニットを組付ける作業を夫々個別に行なう必要があるため、作業工数が増えて製氷機の組立作業に時間および手間がかかる問題もある。
【０００５】
そこで本願は、従来の製氷機に内在する前記問題に鑑み、これらを好適に解決するべく提案されたものであって、製氷水タンクに対してポンプおよびモータを適切な位置関係で保持することができると共に、組立作業の合理化を図り得る製氷機を提供することを目的とする。
【課題を解決するための手段】
【０００６】
前記課題を克服し、所期の目的を達成するため、本願の請求項１に係る発明は、
製氷機本体に配設される製氷水タンクと、該製氷水タンク内の製氷水を製氷部へ供給するポンプと、該ポンプを作動するモータとを備える製氷機において、
前記ポンプおよび前記モータが配設され、前記製氷水タンクに取付けられるユニット取付部材と、
前記ユニット取付部材に設けられた保持部と、
前記製氷水タンクに設けられ、前記保持部に係脱自在に係合して製氷水タンクに対してユニット取付部材を位置決め保持する被保持部と、
前記製氷水タンクに設けられた係合部と、
前記製氷機本体に設けられ、前記係合部と係脱自在に係合して製氷機本体に対して製氷水タンクを位置決め保持する被係合部とを備え、
前記保持部は、前記製氷水タンクに対する前記ユニット取付部材の取付方向と交差する方向で前記被保持部の第１被保持部と係合する第１保持部と、前記ユニット取付部材の取付方向と交差し、かつ前記第１被保持部と第１保持部との係合方向と交差する方向で被保持部の第２被保持部と係合する第２保持部と、前記ユニット取付部材の取付方向で被保持部の第３被保持部と係止する第３保持部とを備えることを要旨とする。
【０００７】
請求項１に係る発明によれば、モータおよびポンプが配設されたユニット取付部材を、該ユニット取付部材に設けられた保持部と製氷水タンクに設けられた被保持部とを係合させることで製氷水タンクに取付けるよう構成したので、該モータおよびポンプを製氷水タンクに対して規定の位置に位置決め保持できる。従って、製氷水タンクに対してポンプの取付位置が適正となるから、製氷水タンク内の製氷水を製氷部へ適切に供給することができる。また、製氷水タンクに設けた係合部と製氷機本体に設けた被係合部とを係合することで、ユニット取付部材が取付けられた製氷水タンクを製氷機本体に位置決め保持することができるので、製氷機本体に対する製氷水タンク、モータおよびポンプの組付作業が簡易化されて製氷機の組立作業の合理化を図り得る。更に、保持部の第１保持部と被保持部の第１被保持部とを係合させると共に保持部の第２保持部と被保持部の第２被保持部とを係合させることで、製氷水タンクに対するユニット取付部材の取付方向と交差する２方向において該ユニット取付部材が該製氷水タンクに位置決めされ、保持部の第３保持部と被保持部の第３被保持部とを係止することで、製氷水タンクに対するユニット取付部材の取付方向において該ユニット取付部材が該製氷水タンクに位置決めされるから、製氷水タンクに対してポンプおよびモータを適切に位置決め保持することができる。
【０００９】
請求項２に係る発明では、
前記係合部は、前記製氷水タンクに弾性変形可能に配設されたレバー部に設けられ、該レバー部の弾性変形により該係合部と前記被係合部との係合および係合解除が行なわれるよう構成したことを要旨とする。
従って、請求項２に係る発明によれば、レバー部の弾性変形により係合部と被係合部との係合および係合解除を行なうことができ、製氷機本体に対する製氷水タンクの着脱作業が容易となる。
【００１０】
請求項３に係る発明では、
前記ユニット取付部材は、前記製氷機本体に対して取付手段により着脱自在に固定保持される取付保持部を備えることを要旨とする。
従って、請求項３に係る発明によれば、ユニット取付部材の取付保持部を取付手段により製氷機本体に固定するので、該ユニット取付部材のがたつきを防止し得ると共に、製氷水タンクに加わるポンプおよびモータの荷重を軽減できる。また、製氷水タンクに位置決め保持されているユニット取付部材を製氷機本体に保持することで、該製氷水タンクのがたつきもより防止し得る。
【００１１】
請求項４に係る発明では、
前記ユニット取付部材には、前記製氷水タンク内に貯留する製氷水の貯留量を検知する製氷水検知手段が配設されたことを要旨とする。
従って、請求項４に係る発明によれば、製氷水タンクに対して規定の位置に位置決め保持されるユニット取付部材に製氷水検知手段を配設したので、該製氷水タンクに対して該製氷水検知手段の取付位置が適切となり、製氷水タンク内の製氷水の貯留量を正確に検知することができる。
【発明の効果】
【００１２】
本発明に係る製氷機によれば、製氷水タンクに対してポンプおよびモータを適切な関係で位置決めし得ると共に、組立作業の合理化を図り得る。
【図面の簡単な説明】
【００１３】
【図１】タンク収容部に製氷水タンクを収容した状態を示した概略斜視図である。
【図２】図１に示すユニット取付部材を一部破断して示す要部正面図である。
【図３】図１のIII-III線断面図である。
【図４】ユニット取付部材および該ユニット取付部材に装着される断熱部材を示す分解斜視図である。
【図５】製氷水タンクに設けた被保持部およびユニット取付部材に設けた保持部を示す斜視図である。
【図６】製氷機本体に設けられた係止口に係止する係止凸部の係止態様を示す説明図である。
【図７】製氷水タンクと、ポンプユニットおよびフロートユニットを取付けるユニット取付部材とを示す分解斜視図である。
【図８】(ａ)は、ユニット取付部材にポンプユニットおよびフロートユニットを取付ける状態を示す説明図であり、(ｂ)は、ユニット取付部材にポンプユニットおよびフロートユニットを配設した状態を示す説明図である。
【図９】ポンプユニットおよびフロートユニットを配設したユニット取付部材を、製氷水タンクに取付ける状態を前方から見た説明図である。
【図１０】ポンプユニットおよびフロートユニットを配設したユニット取付部材を、製氷水タンクに取付ける状態を側方から見た説明図である。
【図１１】ポンプユニットおよびフロートユニットを配設したユニット取付部材を取付けた製氷水タンクの斜視図である。
【図１２】ポンプユニットおよびフロートユニットを配設したユニット取付部材が取付けられた製氷水タンクを、製氷機本体のタンク収容部へ収容する状態を示す斜視図である。
【図１３】ポンプユニットおよびフロートユニットを配設したユニット取付部材が取付けられた製氷水タンクを、製氷機本体のタンク収容部へ収容する状態を示す側面図である。
【発明を実施するための形態】
【００１４】
次に、本発明に係る製氷機につき、好適な実施例を挙げて、添付図面を参照しながら以下説明する。なお、本発明が対象とする製氷機は、製氷機本体に配設される製氷水タンクと、該製氷水タンク内の製氷水を製氷部へ供給するポンプと、該ポンプを作動するモータとを備える製氷機の全てが対象とされる。そこで実施例では、製氷水タンク、ポンプおよびモータに関連する部位についてのみ説明し、製氷機本体のフレームや各パネルや冷凍機構部および製氷部等は各製氷機毎に構成が異なるので、これらの説明および図示は省略する。なお実施例では、製氷水タンクを引出す方向(図１の左方)を製氷機の前側とし、前側から見た正面左側を製氷機の左側、正面右側を製氷機の右側とする。
【実施例】
【００１５】
図１は、製氷機の製氷機本体Ｂ内における左側部分に画成された製氷室１０および右側部分に画成された機械室１１を、該製氷機筐体および冷凍機構部等を省略して概略的に示した斜視図である。製氷室１０には、冷凍機構部を構成する蒸発器および製氷部等からなる製氷機構部等が配設され、機械室１１には、冷凍機構部を構成する圧縮機や凝縮器等が配設される。なお、製氷室１０および機械室１１は、両室１０,１１の底部を構成する区画底板１２により、下方に区画された貯氷室(図示省略)と区画されている。
【００１６】
製氷室１０は、図１および図１２に示すように、機械室１１との境界部に位置する右側壁部１３と、右側壁部１３と対向して製氷室１０の左側に位置する左側壁部１４と、右側壁部１３の後端および左側壁部１４の後端に夫々連設される後壁部１５と、右側壁部１３の前端および左側壁部１４の前端に夫々接合される前壁部１６とにより、周囲の四方が囲繞されている。前壁部１６は、後述するタンク挿通口１７を下方に形成するため、左側壁部１４および右側壁部１３よりも高さ寸法が小さく設定されている。製氷室１０の上部開口は、製氷機本体Ｂを構成するアッパーパネル(図示省略)で覆蓋されるようになっている。なお、前記右側壁部１３、左側壁部１４、後壁部１５、前壁部１６およびアッパーパネルの夫々は断熱材が内装されており、これにより製氷室１０は断熱箱体として構成されている。
【００１７】
機械室１１は、前記右側壁部１３により製氷室１０と区画され、製氷機本体Ｂを構成する右サイドパネル、リアパネル、フロントパネルおよびアッパーパネル等により画成される。そして、区画底板１２の機械室１１側の上面には、重量が嵩む冷凍機構部の圧縮機や凝縮器等(図示せず)を取付けるベース板１８が配設されている。なお、製氷室１０の右側壁部１３とベース板１８との境界部には、製氷室１０から貯氷室に亘って形成された氷塊放出シュート(図示せず)との干渉を回避する傾斜部１９が形成されている。
【００１８】
そして図１２に示すように、製氷室１０の下部から該製氷室１０と隣接する機械室１１の下部に亘り、製氷水タンクＴを機外へ引出し可能に収容するタンク収容部２０が形成されている。すなわちタンク収容部２０は、右側壁部１３の前側下部分に設けた第１切欠部１３Ａにより、製氷室１０の下部に画成された第１収容領域２１と、機械室１１の前側下部に画成されて第１収容領域２１と空間的に連通する第２収容領域２２とからなり、平面視において略Ｌ字形を呈している。また、ベース板１８の前側左部分には、タンク収容部２０に整合する第２切欠部１８Ａが形成されている。これによりタンク収容部２０は、区画底板１２の上面をタンク載置面とした高さＨの平坦な空間として画成されている。そして、タンク収容部２０の第２収容領域２２と機械室１１とは、図１に示すように、後述するユニット取付部材６０により完全に区分されるようになっている。なお、区画底板１２の上面前側には、第１収容領域２１の前側部分から第２収容領域２２に亘る大きさでトレー状の支持板２３が配設されている。
【００１９】
製氷水タンクＴは、図７および図１１に示すように、タンク収容部２０に整合して収容され得るサイズ・形状にされている。すなわち製氷水タンクＴは、前後方向に長い形状に形成されて第１収容領域２１に収容される第１タンク部Ｔ１と、第１タンク部Ｔ１から右方向へ突出して第２収容領域２２に収容される第２タンク部Ｔ２とからなり、平面視において略Ｌ字形のバケット状となっている。製氷水タンクＴは、底面が前下がりでかつ右下がりに傾斜しており、第１タンク部Ｔ１の後端が最も浅く、第２タンク部Ｔ２の右端が最も深くなるように形成されている。そして、第１タンク部Ｔ１の上縁部には、水平外方へ延出して上方へ立ち上がったリブが全周に亘って延設されている。
【００２０】
製氷水タンクＴの機械室１１に臨む第２タンク部Ｔ２は、図２および図９に示すように、該第２タンク部Ｔ２の左右中間に板状の仕切板２４が配設されている。この仕切板２４は、第２タンク部Ｔ２を形成する前壁および後壁に上下に延在するように設けた支持凹部２５,２５に前端縁および後端縁を嵌合させることで垂直姿勢で保持され、ポンプユニットＰＵのポンプＰが配設される側とフロートユニットＦＵが配設される側とに第２タンク部Ｔ２を区分する。但し、仕切板２４の下部には凹部２４Ａが設けられ、製氷水の流通を許容するようになっている。
【００２１】
前記仕切板２４には、図３および図９に示すように、その上端前部および上端後部に、上方へ延出する支持突片２６,２６が設けられている。これら支持突片２６,２６は、図２および図３に示すように、ユニット取付部材６０を製氷水タンクＴにセットした際に、該ユニット取付部材６０における天板部６１の下面に当接して、該ユニット取付部材６０を下方から支持するようになっている。
【００２２】
そして実施例の製氷機では、図２、図３、図５および図７に示すように、製氷水タンクＴにおける第２タンク部Ｔ２の右部に、該製氷水タンクＴに対する前記ユニット取付部材６０の位置決めおよび保持を図る被保持部３０を備えている。この被保持部３０は、製氷水タンクＴとは別体に形成されて第２タンク部Ｔ２に装着されたタンク付属部材４０に設けられている。タンク付属部材４０は、図２および図１０に示すように、第２タンク部Ｔ２の底壁の外側に当接する第１本体部４１と、該第１本体部４１の後部から上方へ立ち上がって第２タンク部Ｔ２の後壁の外側に当接する第２本体部４２と、該第１本体部４１の前部から上方へ立ち上がって第２タンク部Ｔ２の前壁の外側に当接する第３本体部４３とを備えている。またタンク付属部材４０は、第１本体部４１から上方へ立設して製氷水タンクＴ内へ突出し、内部が上下に連通したオーバーフローパイプ４４が形成されており、製氷水タンクＴ内に過剰供給された製氷水を排出し得るようになっている。更に、タンク付属部材４０の第１本体部４１の下面には、図３、図６および図９に示すように、下方へ突出したガイドピン４９,４９が左右に離間して設けられており、前記支持板２３に設けたガイド溝２３Ｂ,２３Ｂに夫々スライド可能に係合するようになっている。
【００２３】
前記被保持部３０は、図５、図７、図９および図１０に示すように、タンク付属部材４０の第３本体部４３の前面に、前方へ水平に延出した第１位置決め部(第１被保持部)３１と、該第１位置決め部３１の前部から上方へ立ち上がった第２位置決め部(第２被保持部)３２と、該第２位置決め部３２の左右両側に設けられた第３位置決め部(第３被保持部)３５とを備えている。第１位置決め部３１は、図９に示すように、右端と左端との間の幅Ｗ１が、後述するユニット取付部材６０に設けた保持部８６の第１保持部８７の左右間の間隔Ｗ２と同じに設定されている。従って、製氷水タンクＴに対してユニット取付部材６０をセットする際に、被保持部３０の第１位置決め部３１と保持部８６の第１保持部８７との係合により、製氷水タンクＴに対する該ユニット取付部材６０の取付方向である上下方向と直交する左右方向の位置決めを図り得るようになっている。
【００２４】
第２位置決め部３２は、図１０に示すように、タンク付属部材４０の第３本体部４３の前面に設けた凸部３３との間隔Ｓ１が、後述するユニット取付部材６０に設けた保持部８６の第２保持部８８の前後幅Ｓ２と同じに設定されている。従って、製氷水タンクＴに対してユニット取付部材６０をセットした際に、被保持部３０の第２位置決め部３２と保持部８６の第２保持部８８との係合により、製氷水タンクＴに対する該ユニット取付部材６０の取付方向である上下方向と直交し、かつ第１位置決め部３１と第１保持部８７との係合方向である左右方向と直交する前後方向の位置決めを図り得るようになっている。
【００２５】
第３位置決め部３５は、図５および図１０に示すように、前記被保持部３０の第２位置決め部３２と一体に形成されている。すなわち第３位置決め部３５は、前記第２位置決め部３２における第１位置決め部３１より左側に延出した部分および該第１位置決め部３１より右側へ延出した部分であって、この左側延出部分の下縁および右側延出部分の下縁が、前記ユニット取付部材６０に設けた後述する第３保持部９０と係止するようになっている。
【００２６】
一方、前記タンク付属部材４０には、図５、図６および図１０に示すように、前記第１本体部４１の前縁から前方へ延出したロックレバー４５が、該第１本体部４１と一体に形成されている。このロックレバー４５は、第１本体部４１から前方へ延出したレバー部４６と、このレバー部４６の前部に一体に形成された操作部４７と、レバー部４６の下面における前後方向中間に下方へ突出するように形成されて、前記支持板２３に設けた係止口(被係合部)２３Ａに係脱自在に係止する爪状の係止凸部(係合部)４８とを備えている。この係止凸部４８は、製氷水タンクＴをタンク収容部２０に押し込んだ際に前記係止口２３Ａの前縁に係止されるようになっており、当該製氷水タンクＴをタンク収容部２０に固定させ得る。またロックレバー４５は、前記操作部４７を上方へ押し上げると、レバー部４６が弾性変形することで、製氷水タンクＴをタンク収容部２０から引き出す方向で係止口２３Ａに係止していた係止凸部４８を該係止口２３Ａから上方へ移動させ得るようになっており、製氷水タンクＴをタンク収容部２０から引き出すことを許容する。なおロックレバー４５は、製氷水タンクＴをタンク収容部２０に押し込む際には、前記係止凸部４８が支持板２３の前端に当接することでレバー部４６が弾性変形することで、該製氷水タンクＴのタンク収容部２０への収容を許容する。
【００２７】
ポンプユニットＰＵは、図７および図８に示すように、ポンプＰと、該ポンプＰを作動させるモータＭとを備え、ポンプＰとモータＭとの間には、矩形のモータ取付板５０が配設されている。モータ取付板５０の右縁における前後中央には、モータ固定ボルト７６のネジ部の挿通を許容するボルト挿通孔５１が穿設されている。またフロートユニットＦＵは、フロート部Ｆと、該フロート部Ｆの位置を検出するスイッチ部ＳＷとを備え、フロート部Ｆとスイッチ部ＳＷとの間には、略菱形のフランジ板５２が設けられている。フランジ板５２における前後の延出部には、フロート固定ネジ７９のネジ部の挿通を許容するネジ挿通孔５３が穿設されている。
【００２８】
ユニット取付部材６０は、図１〜図７に示すように、例えば合成樹脂製の一体成形部品であって、略矩形状をなす天板部６１と、天板部６１の前縁に連設されて垂直下方へ延在する前板部６２と、天板部６１の右縁に連設されて垂直下方へ延在する右板部６３と、天板部６１の後縁に連設されて垂直下方へ延在する後板部６４とを備えている。このユニット取付部材６０は、タンク収容部２０に収容される前の製氷水タンクＴに位置決めした状態でセットされ、該製氷水タンクＴをタンク収容部２０へセットすると機械室１１内においてタンク収容部２０の第２収容領域２２を覆うように位置決めされ、前記右側壁部１３およびベース板１８に固定されて機械室１１と製氷室１０とを区画するようになっている。
【００２９】
天板部６１は、図２〜図８に示すように、左右中間を境として左側がポンプユニットＰＵを設置する第１設置部６５とされると共に、右側が前記フロートユニットＦＵを設置する第２設置部６６とされている。第１設置部６５は、ポンプユニットＰＵのポンプＰの挿通を許容する矩形状の開口６７が形成され、ポンプユニットＰＵを上方から差し込んで装着するようになっている。開口６７は、前後開口幅Ｅ１がポンプユニットＰＵにおけるモータ取付板５０の前後幅Ｅ２より小さく設定されており、該開口６７の前縁および後縁が、該モータ取付板５０の前縁および後縁を下方から夫々支持する前支持縁６８および後支持縁６９として構成されている。前記前支持縁６８の前側には、該前支持縁６８に沿って左右に延在する前規制片７０が立設されると共に、前記後支持縁６９の後側には、該後支持縁６９に沿って左右に延在する後規制片７１が立設されている。前規制片７０と後規制片７１との前後方向の間隔Ｅ３は、図３に示すように、モータ取付板５０の前後幅Ｅ２と同じに設定されており、これら前規制片７０と後規制片７１との間にモータ取付板５０が嵌合するようになっている。
【００３０】
前記前規制片７０の上縁左端と後規制片７１の上縁左端には、前後方向に延在すると共に右方へ延出する左支持縁７２が形成されている。この左支持縁７２の下面と、前記前支持縁６８および後支持縁６９の上面との上下方向の間隔Ｇ１は、図８(ａ)に示すように、前記モータ取付板５０の厚みＧ２と同じに設定されており、前支持縁６８および後支持縁６９に支持された該モータ取付板５０の左縁が当該左支持縁７２の下方へ潜り込ませることが可能となっている。また、前記左支持縁７２の下側には、図８(ａ)に示すように、前後に離間して２つの当接リブ７３,７３が形成されており、モータ取付板５０の左縁を当て受けるようになっている。そして、当接リブ７３の右端と前記開口６７の右縁までの間隔Ｊ１は、図８(ａ)に示すように、モータ取付板５０の左右幅Ｊ２より小さく設定されており、該開口６７の右縁が、該モータ取付板５０の右縁を下方から支持する右支持縁７４として構成されている。そして右支持縁７４の前後中央には、モータ取付板５０のボルト挿通孔５１に整合するネジ孔７５が形成されており、該ネジ孔７５にはモータ固定ボルト７６が螺合するようになっている。
【００３１】
従って、開口６７を介してポンプＰを上面側から挿通させ、前規制片７０と後規制片７１との間に位置決めしたモータ取付板５０を、該モータ取付板５０の左縁を左支持縁７２の下方に潜り込ませて当接リブ７３に当接させることで、天板部６１に対するモータ取付板５０の位置決めがなされ、ボルト挿通孔５１に整合したネジ孔７５に対して前記モータ固定ボルト７６を螺合することで、ユニット取付部材６０に対するポンプユニットＰＵの取付けが完了するようになっている。そして、ユニット取付部材６０に取付けられたポンプユニットＰＵは、前記前支持縁６８、後支持縁６９、右支持縁７４、左支持縁７２、前規制片７０および後規制片７１によりモータ取付板５０が前後方向、左右方向および上下方向の動きが規制されてがたつきなく固定され、また該モータ取付板５０により前記開口６７を完全に覆蓋するようになっている。
【００３２】
第２設置部６６は、フロートユニットＦＵのスイッチ部ＳＷの挿通を許容する円形状の開口７７が形成され、該フロートユニットＦＵを下方から差し込んで装着するようになっている。そして、天板部６１の裏面における前記開口７７を挟んだ前後部位には、下方へ延出するフロート固定部７８が形成されており、該フロート固定部７８にフロートユニットＦＵのフランジ板５２を固定することで、ユニット取付部材６０に対して当該フロートユニットＦＵが固定される。なお、フロート固定部７８には、フランジ板５２に設けた前記ネジ挿通孔５３が整合すると共にフロート固定ネジ７９が螺合するネジ孔(図示せず)が形成されており、該ネジ挿通孔５３を介して該ネジ孔にフロート固定ネジ７９を螺合することで、ユニット取付部材６０に対するフロートユニットＦＵの固定がなされる。
【００３３】
なお、天板部６１の裏面には、図３および図１０に示すように、前記仕切板２４に設けた各支持突片２６,２６の当接部位を挟む前後方向で相対して、該支持突片２６,２６に前後方向から当接する位置決めリブ８０,８０が設けられている。すなわち、各位置決めリブ８０,８０の前後方向の間隔Ｋ１は、図１０に示すように、前記支持突片２６,２６の前後方向の間隔Ｋ２と同じに設定されており、製氷水タンクＴに対してユニット取付部材６０をセットした際には、各支持突片２６,２６と各位置決めリブ８０,８０とが互いに当接することで、製氷水タンクＴに対するユニット取付部材６０の前後方向の位置決めが図られるようになっている。また、天板部６１の左縁には、図４に示すように、上方へ垂直に延出する当接リブ８１が、該左縁に沿って前後方向へ延在している。
【００３４】
前板部６２は、図４に示すように、タンク収容部２０に収容した製氷水タンクＴにユニット取付部材６０をセットした状態において、前記支持板２３の上面に相対する高さ寸法に設定されている。そして、前板部６２の下縁には、前方へ水平に延出する当接リブ８１が、該下縁に沿って左右方向へ延在している。また、前板部６２の右縁下部および左縁には、前方へ延出する当接リブ８１が、該右縁および左縁に沿って上下方向に延在している。更に、前板部６２の下部右側には、下方へ開口した凹部８５が形成されており、該凹部８５の縁部に、前記製氷水タンクＴに設けた前記被保持部３０に係合する保持部８６と、該製氷水タンクＴに設けた前記第３位置決め部３５に係止する第３保持部９０が設けられている。
【００３５】
前記保持部８６は、図５、図９および図１０に示すように、前記凹部８５の左縁および右縁から前方へ延出したリブ状の第１保持部８７,８７と、該凹部８５の上縁において前後に延在するリブ状の第２保持部８８と、前記第１保持部８７,８７の上端に設けられた第３保持部９０,９０とを備えている。第１保持部８７,８７は、図９に示すと共に前述したように、左右方向に相対して上下方向へ平行に延在しており、左右間の間隔Ｗ２が、前記被保持部３０における第１位置決め部３１の左右間の幅Ｗ１と同じに設定されている。従って第１保持部８７,８７は、製氷水タンクＴに対してユニット取付部材６０を上方からセットする際に、該ユニット取付部材６０の取付方向と直交する左右方向で被保持部３０の第１位置決め部３１と係合する。すなわち、第１保持部８７,８７と第１位置決め部３１とが左右方向で係合することで、製氷水タンクＴに対するユニット取付部材６０の左右方向の位置決めおよび保持を図り得る。
【００３６】
第２保持部８８は、図５、図９および図１０に示すように、左右方向へ水平に延在して、前後方向の幅Ｓ２が、前記被保持部３０の第２位置決め部３２とタンク付属部材４０の第３本体部４３の前面に設けた凸部３３との間隔Ｓ１と同じに設定されている。従って第２保持部８８は、製氷水タンクＴに対しユニット取付部材６０を上方からセットする際に、該ユニット取付部材６０の取付方向と直交し、かつ第１保持部８７と第１位置決め部３１とが係合する左右方向と直交する前後方向で被保持部３０の第２位置決め部３２と係合する。すなわち、第２保持部８８と第２位置決め部３２とが前後方向で係合することで、製氷水タンクＴに対するユニット取付部材６０の前後方向の位置決めおよび保持を図り得る。
【００３７】
前記第３保持部９０は、図５および図９に示すように、前記保持部８６の第１保持部８７,８７と一体に形成され、前記第１保持部８７,８７における第２保持部８８より前側へ延出した部分である。すなわち第３保持部９０は、ユニット取付部材６０の天板部６１の裏面に前記仕切板２４の支持突片２６が当接した状態において、製氷水タンクＴに設けた前記第３位置決め部３５に下方から係合するように設定されている。従って、製氷水タンクＴに対しユニット取付部材６０を上方から取付けるに際して、第２位置決め部３８が弾性変形して第１保持部８７,８７の下方への通過を許容し、両第１保持部８７,８７が下方へ完全に通過して該第２位置決め部３８が弾性復帰すると、第３保持部９０と第３位置決め部３５とが該ユニット取付部材６０の取付方向である上下方向で係合する。そして、第３保持部９０と第３位置決め部３５とが上下方向で係合することで、製氷水タンクＴに対するユニット取付部材６０の上下方向の位置決めおよび保持を図り得る。
【００３８】
前記右板部６３は、図４に示すように、タンク収容部２０に収容した製氷水タンクＴにユニット取付部材６０をセットした状態において、前記ベース板１８の上面に相対する高さ寸法に設定されている。そして、右板部６３の下縁には、右方へ水平に延出する当接リブ８１が、該下縁に沿って前後方向へ延在している。また後板部６４は、図８に示すように、タンク収容部２０に収容した製氷水タンクＴにユニット取付部材６０をセットした状態において、前記ベース板１８の上面におよび前記傾斜部１９に相対する高さ寸法に設定されている。そして、後板部６４の下縁には、後方へ水平に延出する当接リブ８１が、該下縁に沿って前後方向へ延在している。
【００３９】
前記ユニット取付部材６０の天板部６１における左縁前部には、図２〜図７に示すように、上方へ立ち上がった第１取付部(取付保持部)９２が、前後方向に延在するように形成されている。この第１取付部９２は、後方へ開口した鉤状になっており、タンク収容部２０に収容した製氷水タンクＴにユニット取付部材６０をセットした状態において、前記右側壁部１３の前側下部に設けた第１ネジ孔９３に整合するようになっている。従って、タンク収容部２０に収容した製氷水タンクＴにユニット取付部材６０をセットした状態において、第１ネジ孔９３に第１取付ボルト(取付手段)９４を螺合することで、第１取付部９２が該第１取付ボルト９４の頭部と右側壁部１３とで挟持される。また、前記ユニット取付部材６０の右板部６３における下縁前部には、図２〜図４および図７に示すように、右方へ延出した第２取付部(取付保持部)９５が形成されている。この第２取付部９５は、後方へ開口した鉤状になっており、タンク収容部２０に収容した製氷水タンクＴにユニット取付部材６０をセットした状態において、前記ベース板１８の前部に設けた第２ネジ孔９６に整合するようになっている。従って、タンク収容部２０に収容した製氷水タンクＴにユニット取付部材６０をセットした状態において、第２ネジ孔９６に第２取付ボルト(取付手段)９７を螺合することで、第２取付部９５が該第２取付ボルト９７の頭部とベース板１８とで挟持されるようになっている。更に、前記ユニット取付部材６０の後板部６４における下縁右部には、図３および図１１に示すように、後方へ延出した第３取付部９８が形成されている。この第３取付部９８は、タンク収容部２０に収容した製氷水タンクＴにユニット取付部材６０をセットした状態において、前記ベース板１８の上部において前方へ延出した掛止片９９の下方へ突入して掛止するようになっている。
【００４０】
前記ユニット取付部材６０には、前記前板部６２、右板部６３および後板部６４の略全面を覆う平面視において略コ字形に形成された断熱部材１００が配設されている。この断熱部材１００は、平板状で所定の輪郭形状に形成された１枚の部材であって、ユニット取付部材６０の前板部６２、右板部６３および後板部６４の外面に沿わせるようにして、接着剤または両面テープ等で貼り付けられている。これにより、機械室１１側に画成されたタンク収容部２０の第２収容領域２２は、ユニット取付部材６０に配設した断熱部材１００により該機械室１１内から断熱的に隔離され、製氷室１０内が機械室１１の熱により温度上昇することを抑制し得る。更に、天板部６１の左縁に設けた当接リブ８１の右側壁部１３に相対する面と、前板部６２の下縁に設けた当接リブ８１の支持板２３に相対する面と、前板部６２の右縁に設けた当接リブ８１のベース板１８に相対する面と、右板部６３の下縁に設けた当接リブ８１のベース板１８に相対する面と、後板部の下縁に設けた当接リブ８１のベース板１８に相対する面には、シール部材８２が貼り付けられている。
【００４１】
(実施例の作用)
次に、前述のように構成された実施例の製氷機の作用について説明する。
【００４２】
製氷水タンクＴをタンク収容部２０へ収容する際には、先ず、ユニット取付部材６０に前記ポンプユニットＰＵおよびフロートユニットＦＵを取付け、該ポンプユニットＰＵおよびフロートユニットＦＵを配設したユニット取付部材６０を、該製氷水タンクＴの第２タンク部Ｔ２に上方から取付ける。ポンプユニットＰＵは、前述したように、モータ取付板５０によりユニット取付部材６０の天板部６１にがたつきなく取付けられると共に、フロートユニットＦＵはフランジ板５２により該天板部６１にがたつきなく取付けられる。
【００４３】
ユニット取付部材６０は、製氷水タンクＴの第２タンク部Ｔ２にセットする際に、製氷水タンクＴに設けた前記被保持部３０の第１位置決め部３１とユニット取付部材６０に設けた前記保持部８６の第１保持部８７とを整合させて該ユニット取付部材６０の左右方向の位置決めを図ると共に、該被保持部３０の第２位置決め部３２と該保持部８６の第２保持部８８とを整合させて該ユニット取付部材６０の前後方向の位置決めを図る。そして、被保持部３０と保持部８６とが整合した状態で、ユニット取付部材６０を水平状態で垂直下方へ押下げることで、製氷水タンクＴに設けた前記仕切板２４に設けた各支持突片２６,２６と、ユニット取付部材６０に設けた前記位置決めリブ８０,８０とが整合することで、更に該ユニット取付部材６０の前後方向の位置決めが図られる。
【００４４】
そして、製氷水タンクＴに設けた前記仕切板２４に設けた各支持突片２６,２６が、該ユニット取付部材６０における天板部６１の下面に当接すると、製氷水タンクＴに設けた前記第３位置決め部３５とユニット取付部材６０に設けた前記第３保持部９０とが係止し、当該ユニット取付部材６０は、所定の姿勢および位置に保持された状態で製氷水タンクＴに安定的に固定される。これにより、ユニット取付部材６０に取付けたポンプユニットＰＵのポンプＰは、図８に示すように、製氷水タンクＴの第２タンク部Ｔ２内へ垂下して規定の高さおよび位置に適切に保持される。また、ユニット取付部材６０に取付けた前記フロートユニットＦＵのフロート部Ｆも、製氷水タンクＴの第２タンク部Ｔ２内へ垂下して規定の高さおよび位置に適切に保持される。
【００４５】
そして、図１２に示すように、ポンプユニットＰＵおよびフロートユニットＦＵを取付けたユニット取付部材６０を載置した製氷水タンクＴを、製氷機本体Ｂの前面に開口したタンク挿通口１７を介して、タンク収容部２０へスライドさせながら押し込む。ここで、製氷水タンクＴをタンク収容部２０へ押し込む過程において、支持板２３に設けた各ガイド溝２３Ｂ,２３Ｂにタンク付属部材４０に設けた各ガイドピン４９,４９を係合させた後、前記タンク付属部材４０に設けたロックレバー４５の係止凸部４８が支持板２３に当接することで、該ロックレバー４５のレバー部４６が上方へ弾性変形する。そして、製氷水タンクＴがタンク収容部２０へ完全に収容されると、図３および図６に示すように、ロックレバー４５が弾性復帰して係止凸部４８が支持板２３の係止口２３Ａに係止され、該製氷水タンクＴはタンク収容部２０に位置決め保持される。
【００４６】
また、製氷水タンクＴがタンク収容部２０へ収容保持されると、図４に示すように、ユニット取付部材６０の前板部６２の下縁に設けた当接リブ８１が支持板２３に相対して、シール部材８２を介して該支持板２３に当接する。また、ユニット取付部材６０の右板部６３の下縁に設けた当接リブ８１がベース板１８に相対して、シール部材８２を介して該ベース板１８に当接すると共に、該ユニット取付部材６０の後板部６４の下縁に設けた当接リブ８１がベース板１８に相対して、シール部材８２を介して該ベース板１８に当接する。更に、天板部６１の左縁に設けた当接リブ８１が右側壁部１３に相対して、シール部材８２を介して該右側壁部１３に当接する。
【００４７】
そして、ベース板１８および右側壁部１３に対してユニット取付部材６０が位置決めされると、第１取付部９２に整合した第１ネジ孔９３に第１取付ボルト９４を螺合することで該ユニット取付部材６０が右側壁部１３に固定されると共に、第２取付部９５に整合した第２ネジ孔９６に第２取付ボルト９７を螺合することで該ユニット取付部材６０がベース板１８に固定される。更に、この第３取付部９８が掛止片９９の下方へ突入して掛止することで、該ユニット取付部材６０が更にベース板１８に固定される。これにより図２および図３に示すように、ユニット取付部材６０の各当接リブ８１が、右側壁部１３、ベース板１８および支持板２３に夫々当接することで、タンク収容部２０(製氷室１０)と機械室１１とが適切に区画される。
【００４８】
一方、製氷水タンクＴをタンク収容部２０から引出す際には、先ず第１取付ボルト９４および第２取付ボルト９７を適宜緩めるか若しくは外した後、ロックレバー４５の操作部４７を押し上げて係止凸部４８と係止口２３Ａとの係止を解除したもとで、製氷水タンクＴをタンク挿通口１７から前方へ引張る。これにより製氷水タンクＴは、各ガイドピン４９,４９が対応するガイド溝２３Ｂ,２３Ｂに沿って移動することで前方へ移動し、ユニット取付部材６０は該製氷水タンクＴに取付けられた状態で水平前方へ移動する。
【００４９】
このように実施例の製氷機は、製氷水タンクＴに設けられた被保持部３０の第１位置決め部３１とユニット取付部材６０に設けられた保持部８６の第１保持部８７とが整合することで、製氷水タンクＴに対するユニット取付部材６０の左右方向の位置決めが図られると共に、前記被保持部３０の第２位置決め部３２と前記保持部８６の第２保持部８８とが整合することで、製氷水タンクＴに対するユニット取付部材６０の前後方向の位置決めが図られ、製氷水タンクＴに対する当該ユニット取付部材６０の取付方向と各々交差する２方向での位置決めが適切になされる。また、製氷水タンクＴに設けられた第３位置決め部３５とユニット取付部材６０に設けられた第３保持部９０とが整合することで、製氷水タンクＴに対してユニット取付部材６０が規定位置で適切に保持され、製氷水タンクＴに対するポンプＰおよびフロート部Ｆの取付位置を規定の位置に適切に位置決め保持することができる。このように実施例の製氷機は、ポンプＰおよび該ポンプＰを作動するモータＭからなるポンプユニットＰＵおよびフロートユニットＦＵを取付けて構成されたユニット取付部材６０を、製氷機本体Ｂのタンク収容部２０に配設するようにした製氷水タンクＴの第２タンク部Ｔ２に位置決め保持するようにした。従って、製氷水タンクＴに対するポンプＰの取付位置が規定の位置となるから、製氷水タンクＴ内の製氷水を製氷部へ適切に供給することができる。また、製氷水タンクＴに対するフロート部Ｆ１の取付位置が規定の位置となるから、製氷水タンクＴ内の製氷水の貯留量を正確に検知することができる。
【００５０】
また実施例の製氷機は、製氷機本体Ｂ側に設けられた係止口２３Ａと製氷水タンクＴ側に設けられた係止凸部４８とを係合することで、製氷機本体Ｂのタンク収容部２０に対して製氷水タンクＴを規定の位置に位置決め保持することができる。従って、製氷水タンクＴが製氷機本体Ｂに対して適切に位置決め保持されると共に、該製氷水タンクＴにユニット取付部材６０を介して位置決め保持されたポンプユニットＰＵおよびフロートユニットＦＵも該製氷機本体Ｂに対して適切に位置決め保持されるから、製氷機本体Ｂに対する製氷水タンクＴ、ポンプユニットＰＵおよびフロートユニットＦＵの組付作業が簡易化されて製氷機の組立作業の合理化を図り得る。
【００５１】
そしてユニット取付部材６０は、第１取付ボルト９４により第１取付部９２が右側壁部１３に固定され、第２取付ボルト９７により第２取付部９５がベース板１８に固定されると共に、第３取付部９８が掛止片９９に掛止されることで、製氷機本体Ｂに対してがたつきなく保持される。これにより、ユニット取付部材６０、ポンプユニットＰＵおよびフロートユニットＦＵの重さは製氷機本体Ｂで受け止められるので、製氷水タンクＴに加わるユニット取付部材６０、ポンプユニットＰＵおよびフロートユニットＦＵによる荷重を軽減し得る。しかも、ユニット取付部材６０が製氷機本体Ｂに保持されるので、該製氷機本体Ｂに対する製氷水タンクのがたつきも防止し得る。
【００５２】
更に、ポンプユニットＰＵのモータＭが機械室１１側に取付けられているので、製氷水の蒸発による湿気や塩素等が該モータＭに付着することがなく、これを起因としたモータＭの腐食や故障の発生を好適に防止し得る。また更に、製氷水タンクＴは、ロックレバー４５の操作部４７を上方へ引き上げて係止凸部４８と係止口２３Ａとの係合を解除させるだけで、製氷機本体Ｂから簡単に引き出すことができる。
【００５３】
(変更例)
（１）実施例では、製氷水タンクに対して上方から取付けられるユニット取付部材を例示したが、該ユニット取付部材は、製氷水タンクに対して左方向または右方向から取付けられるものや、製氷水タンクに対して前方向または後ろ方向から取付けられるものであってもよい。
（２）保持部および被保持部の配設位置は、実施例で例示した位置に限らず、製氷水タンクおよびユニット取付部材が対向する位置であればよい。
（３）保持部の形態および被保持部の形態は、実施例に例示のものに限定されず、製氷水タンクに対してユニット取付部材を位置決めおよび保持し得れば他の形態であってもよい。また、保持部と被保持部とは、実施例と逆であってもよく、保持部をフック形態とすると共に被保持部を突起形態等としてもよい。
（４）係合部の形態および被係合部の形態は、実施例に例示のものに限定されず、製氷機本体に対して製氷水タンクを位置決めおよび保持し得れば他の形態であってもよい。また、係合部と被係合部とは、実施例と逆であってもよく、係合部を突起形態とすると共に、被係合部を孔形態としてもよい。
（５）実施例では、製氷機本体のタンク収容部に対して前方からスライド収容可能な製氷水タンクを例示したが、該製氷水タンクは、製氷機本体に対して側方がスライド可能なものや、後方からスライド収容可能なものであってもよい。
（６）製氷水タンクは、係合部と被係合部との係合により製氷機本体に位置決め保持されるものであってもよい。
【符号の説明】
【００５４】
２３Ａ 係止口(被係合部)，３０ 被保持部，３１ 第１位置決め部(第１被保持部)，
３２ 第２位置決め部(第２被保持部)，３５ 第３位置決め部(第３被保持部)，
４６ レバー部，４８ 係止凸部(係合部)，６０ ユニット取付部材，８６ 保持部，
８７ 第１保持部，８８ 第２保持部，９０ 第３保持部，９２ 取付保持部，
９４ 第１取付ボルト(取付手段)，９５ 取付保持部，９７ 第２取付ボルト(取付手段)，
Ｂ 製氷機本体，ＦＵ フロートユニット(製氷水検知手段)，Ｍ モータ，Ｐ ポンプ，
Ｔ 製氷水タンク
【図１】
0005722084.tif 000002
【図２】
0005722084.tif 000003
【図３】
0005722084.tif 000004
【図４】
0005722084.tif 000005
【図５】
0005722084.tif 000006
【図６】
0005722084.tif 000007
【図７】
0005722084.tif 000008
【図８】
0005722084.tif 000009
【図９】
0005722084.tif 000010
【図１０】
0005722084.tif 000011
【図１１】
0005722084.tif 000012
【図１２】
0005722084.tif 000013
【図１３】
0005722084.tif 000014